(57)【特許請求の範囲】
【請求項１】
複数の単電池を含む第１電池ブロックと、
他の複数の単電池を含む第２電池ブロックと、
前記第１電池ブロックに含まれる複数の前記単電池と前記第２電池ブロックに含まれる複数の前記単電池とを電気接続するバスバーと、を備え、
前記バスバーは、
前記第１電池ブロックに含まれる複数の前記単電池における正極および負極のうちの一方にヒューズを介して接続される第１バスバー部と、
前記第２電池ブロックに含まれる複数の前記単電池における正極および負極のうちの他方に接続される第２バスバー部と、
前記第１バスバー部と前記第２バスバー部とを接続する第３バスバー部と、を有し、
前記第３バスバー部は、前記第１バスバー部に隣接する第１部分と、前記第１部分よりも前記第２バスバー部の側に位置する第２部分と、を含み、
前記第１部分の放熱量に比べて、前記第２部分の放熱量の方が大きい、
蓄電装置。
【請求項２】
前記第３バスバー部が延びる方向に対して直交する方向の断面の断面積は、前記第１部分の断面積に比べて、前記第２部分の断面積の方が大きい、
請求項１に記載の蓄電装置。
【請求項３】
前記第３バスバー部が延びる方向に対して直交する方向の断面形状を見た場合、前記第２部分はＵ字形状を呈している、
請求項１または２に記載の蓄電装置。
【請求項４】
前記第２部分は、前記第１バスバー部の側から前記第２バスバー部の側に向かって、波状に延在する形状を有している、
請求項１または２に記載の蓄電装置。
【発明の詳細な説明】
【技術分野】
【０００１】
本発明は、複数の単電池およびバスバーを備えた蓄電装置に関する。
【背景技術】
【０００２】
国際公開第２０１４／０８３６００号（特許文献１）に開示されているように、複数の単電池およびバスバーを備えた蓄電装置が知られている。蓄電装置に組み込まれる複数の単電池は、ホルダーにより保持され、複数のブロックに分けられる。バスバーは、たとえば一のブロック内の複数の単電池を並列に電気接続するとともに、他のブロック内の複数の単電池も並列に電気接続する。バスバーは、さらに、上記一のブロック内の複数の単電池と、上記他のブロック内の複数の単電池とを直列に電気接続する。
【０００３】
一般的に、バスバーのうちの単電池に接続（接合）される箇所にはヒューズが設けられる。ヒューズは、単電池の正極側に設けられる場合もあるし、単電池の負極側に設けられる場合もある。ヒューズは、所定値以上の過電流が流れることにより溶断する。ヒューズが溶断することにより、ヒューズに接続されていた単電池の電流を遮断することができる。
【先行技術文献】
【特許文献】
【０００４】
【特許文献１】国際公開第２０１４／０８３６００号
【発明の概要】
【発明が解決しようとする課題】
【０００５】
バスバーに設けられたヒューズは、その機能上、高い電気抵抗を有する。ヒューズには局所的な電流が流れるため、ヒューズは発熱しやすい。ヒューズで発生した熱は、バスバーを通して他の単電池に伝導し、他の単電池の耐用寿命を短くすることがある。これに対し、たとえばヒューズの体積、表面積および断面積などを大きくすることによって、ヒューズに局所的に流れる電流の電流値を小さくしたり、ヒューズ部分における放熱量を向上させたりすることが考えられる。しかしながら、これらの手法を採用した場合には、バスバーを通して他の単電池に伝導する熱量を小さくすることができるものの、ヒューズ機能（電流遮断時の電流値など）が制約されてしまう。
【０００６】
本発明は、ヒューズで発生した熱がバスバーを通して他の単電池に伝導することを、ヒューズ機能が制約されないような構成にて抑制できる蓄電装置を提供することを目的とする。
【課題を解決するための手段】
【０００７】
蓄電装置は、複数の単電池を含む第１電池ブロックと、他の複数の単電池を含む第２電池ブロックと、上記第１電池ブロックに含まれる複数の上記単電池と上記第２電池ブロックに含まれる複数の上記単電池とを電気接続するバスバーと、を備え、上記バスバーは、上記第１電池ブロックに含まれる複数の上記単電池における正極および負極のうちの一方にヒューズを介して接続される第１バスバー部と、上記第２電池ブロックに含まれる複数の上記単電池における正極および負極のうちの他方に接続される第２バスバー部と、上記第１バスバー部と上記第２バスバー部とを接続する第３バスバー部と、を有し、上記第３バスバー部は、上記第１バスバー部に隣接する第１部分と、上記第１部分よりも上記第２バスバー部の側に位置する第２部分と、を含み、上記第１部分の放熱量に比べて、上記第２部分の放熱量の方が大きい。
【０００８】
好ましくは、上記第３バスバー部が延びる方向に対して直交する方向の断面の断面積は、上記第１部分の断面積に比べて、上記第２部分の断面積の方が大きい。
【０００９】
好ましくは、上記第３バスバー部が延びる方向に対して直交する方向の断面形状を見た場合、上記第２部分はＵ字形状を呈している。
【００１０】
好ましくは、上記第２部分は、上記第１バスバー部の側から上記第２バスバー部の側に向かって、波状に延在する形状を有している。
【発明の効果】
【００１１】
上記の構成によれば、第３バスバー部のうち、ヒューズに近い部分（第１部分）については放熱量が小さく、ヒューズから遠い部分（第２部分）については放熱量が大きい。したがって、ヒューズに近い部分（第１部分）について、電流遮断時の電流値などといったヒューズ機能が制約されることはほとんどなく、ヒューズは本来の機能を発揮できる。一方、ヒューズから遠い部分（第２部分）については、放熱量が大きいため、ヒューズで発生した熱を放射の作用によって効果的に低減することができ、熱が他の単電池に伝導することを抑制できる。
【図面の簡単な説明】
【００１２】
【図１】実施の形態１における蓄電装置を示す斜視図である。
【図２】実施の形態１における蓄電装置に備えられる４つの電池ブロックを示す斜視図である。
【図３】図１中のＩＩＩ線に囲まれた領域を拡大して示す斜視図である。
【図４】図１中の矢印ＩＶ方向から見た蓄電装置を示す図（蓄電装置の正面図）である。
【図５】図４中のＶ−Ｖ線に沿った矢視断面図である。
【図６】比較例における蓄電装置の一部を拡大して示す斜視図である。
【図７】実施の形態２における蓄電装置の一部を拡大して示す斜視図である。
【図８】実施の形態３における蓄電装置の一部を拡大して示す斜視図である。
【発明を実施するための形態】
【００１３】
実施の形態について、以下、図面を参照しながら説明する。同一の部品および相当部品には同一の参照番号を付し、重複する説明は繰り返さない場合がある。
【００１４】
［実施の形態１］
図１〜図５を参照して、実施の形態１における蓄電装置１００について説明する。図１は、蓄電装置１００を示す斜視図である。図２は、蓄電装置１００に備えられる電池ブロック１０〜１３を示す斜視図である。図３は、図１中のＩＩＩ線に囲まれた領域を拡大して示す斜視図である。図４は、図１中の矢印ＩＶ方向から見た蓄電装置１００を示す図（蓄電装置１００の正面図）である。図５は、図４中のＶ−Ｖ線に沿った矢視断面図である。
【００１５】
図１および図２に示すように、蓄電装置１００は、電池ブロック１０〜１３と、ケース２０（図１）と、バスバー３０Ａ〜３０Ｅ（図１）とを備える。
【００１６】
（電池ブロック１０〜１３）
電池ブロック１０〜１３は、複数の単電池１５を含み、その略全体がケース２０の内部に配置される。図１では、電池ブロック１０〜１３のうちのケース２０の内部に配置される部分については図示していない。本実施の形態では、電池ブロック１０〜１３の各々が、計１５本の単電池１５を含んでいる（図２参照）。単電池１５は、いわゆる円筒型電池であり、単電池１５としては、たとえばニッケル水素電池およびリチウムイオン電池のような二次電池、ならびに電気二重層キャパシタを用いることができる。
【００１７】
すべての単電池１５は、正極１６が一方側（図１，図２における上方側）に位置するように配置され、負極１７が他方側（図１，図２における下方側）に位置するように配置されている。すべての正極１６は、同一平面内において並んで配置されており、すべての負極１７も、他の同一平面内において並んで配置されている。すべての単電池１５は、並んだ状態で、ケース２０の中に収容されている。
【００１８】
（ケース２０）
図１に示すように、ケース２０は、上ケース２１および下ケース２２を含む。詳細には図示しないが、上ケース２１および下ケース２２は、複数の部材から構成されている。上ケース２１および下ケース２２は、たとえば、樹脂などから作製された絶縁性を有する部位（複数の単電池１５を保持するための部位）や、ケース２０の内部に熱交換媒体を通流させるための空間などを内部に有している。
【００１９】
一方で、上ケース２１には、単電池１５の軸方向に対して平行に延びる複数のスリット２３（図１，図３〜図５）および複数のスリット２６（図５参照）が設けられる。スリット２３，２６は、スリット２３，２６の間に電池ブロック１０〜１３（複数の単電池１５）が位置するように、ケース２０のうちの互いに反対側に位置する面に設けられる。スリット２３，２６は、ケース２０の内部に、単電池１５の温度を調節するための熱交換媒体（空気など）を通流させるために用いられる。
【００２０】
上ケース２１の上面２４においては、単電池１５の正極１６（図３，図５参照）が露出している。下ケース２２の下面２５においては、単電池１５の負極１７（図５参照）が露出している。単電池１５は、上面２４および下面２５において露出している部分を除いてケース２０の中に配置されている。上述の通り、図１においては、ケース２０の内部およびケース２０の下面２５を透過的に描いているが、電池ブロック１０〜１３（複数の単電池１５）のうちのケース２０の内部に配置されている部分については図示していない。
【００２１】
（バスバー３０Ａ，３０Ｂ，３０Ｃ）
図１および図４に示すように、バスバー３０Ａ，３０Ｂ，３０Ｃの各々は、平板部３１、平板部３２および接続部３３を含む。平板部３１は、第１バスバー部として機能し得る部位であり、複数の正極１６（ケース２０の上面２４）に対向するように配置される。平板部３２は、第２バスバー部として機能し得る部位であり、負極１７（ケース２０の下面２５）に対向するように配置される。平板部３１と平板部３２との間に、ケース２０が位置している。接続部３３は、第３バスバー部として機能し得る部位であり、ケース２０の側面に対向するように配置される。接続部３３は、平板部３１と平板部３２とを接続する。
【００２２】
図３を参照して、正極１６の側に配置される平板部３１には、複数の開口３１Ｈが形成されている（図１参照）。平板部３１のうちの開口３１Ｈを形成している内周縁部分には、Ｌ字状に延びる正極タブ３１Ｔが設けられ、正極タブ３１Ｔの先端には、ヒューズ３１Ｆが設けられている。ヒューズ３１Ｆの先端には、接続部３１Ｕが設けられている。接続部３１Ｕは、溶接などによって単電池１５の正極１６に接続される。
【００２３】
ヒューズ３１Ｆ、接続部３１Ｕおよび正極タブ３１Ｔのうちの一部または全部は、導線などから構成されていてもよい。ヒューズ３１Ｆは、所定値以上の過電流が流れることにより溶断する。ヒューズ３１Ｆが溶断することにより、ヒューズ３１Ｆに接続されていた単電池１５の電流を遮断することができる。本実施の形態では、１５個の正極タブ３１Ｔ（ヒューズ３１Ｆ）が、バスバー３０Ａ，３０Ｂ，３０Ｃの各々の平板部３１に形成されている（図１参照）。
【００２４】
図１および図４に示すように、バスバー３０Ａの平板部３１に形成された１５個の正極タブ３１Ｔは、電池ブロック１０（図２）に含まれる１５本の単電池１５の正極１６（図２，図５）を並列に電気接続する。同様に、バスバー３０Ｂの平板部３１に形成された１５個の正極タブ３１Ｔは、電池ブロック１１に含まれる１５本の単電池１５の正極１６を並列に電気接続する。バスバー３０Ｃの平板部３１に形成された１５個の正極タブ３１Ｔは、電池ブロック１２に含まれる１５本の単電池１５の正極１６を並列に電気接続する。
【００２５】
一方で、負極１７の側に配置される平板部３２には、負極タブ３２Ｔ（図５）が設けられる。平板部３２には、ヒューズが設けられない。負極タブ３２Ｔは、溶接などによって単電池１５の負極１７接続される。正極１６の場合と同様に、１５個の負極タブ３２Ｔが、バスバー３０Ａ，３０Ｂ，３０Ｃの各々の平板部３１に形成されている。
【００２６】
図１および図４に示すように、バスバー３０Ａの平板部３２に形成された１５個の負極タブ３２Ｔは、電池ブロック１１（図２）に含まれる１５本の単電池１５の負極１７（図２，図５）を並列に電気接続する。同様に、バスバー３０Ｂの平板部３２に形成された１５個の負極タブ３２Ｔは、電池ブロック１２に含まれる１５本の単電池１５の負極１７を並列に電気接続する。バスバー３０Ｃの平板部３２に形成された１５個の負極タブ３２Ｔは、電池ブロック１３に含まれる１５本の単電池１５の負極１７を並列に電気接続する。
【００２７】
図５を参照して、平板部３１および平板部３２は、接続部３３を介して互いに電気接続されている。図３および図５に示すように、本実施の形態の接続部３３は、傾斜部３３ａ、垂下部３３ｂ、板状部３３ｃおよび立壁部３３ｄ（図５）を有している。接続部３３の上端（傾斜部３３ａの上端）は平板部３１と電気接続されており、接続部３３の下端（立壁部３３ｄの下端）は平板部３２と電気接続されている。
【００２８】
傾斜部３３ａおよび垂下部３３ｂは、「接続部３３（第３バスバー部）の第１部分」に相当しており、平板部３１に隣接している。傾斜部３３ａおよび垂下部３３ｂは、平板部３１を構成している部材と一体的に形成されている。傾斜部３３ａおよび垂下部３３ｂは、平板部３１を構成している部材からはみ出るように延びていた部分を折り曲げることによって形成される。この構成に限られず、傾斜部３３ａおよび垂下部３３ｂは、平板部３１を構成している部材とは別の部材から作製された後に、平板部３１に接合されてもよい。
【００２９】
板状部３３ｃは、「接続部３３（第３バスバー部）の第２部分」に相当しており、垂下部３３ｂと立壁部３３ｄとを電気接続している。板状部３３ｃは、上記の第１部分（傾斜部３３ａおよび垂下部３３ｂ）よりも平板部３２（第２バスバー部）の側に位置している。換言すると、板状部３３ｃは、上記の第１部分（傾斜部３３ａおよび垂下部３３ｂ）よりも平板部３２（第２バスバー部）の近くに位置している。本実施の形態における板状部３３ｃは、垂下部３３ｂとは別の部材から作製された後に、垂下部３３ｂに接合されている。この構成に限られず、板状部３３ｃは、垂下部３３ｂを構成している部材と一体的に形成されていてもよい。
【００３０】
立壁部３３ｄは、板状部３３ｃと平板部３２とを電気接続している。立壁部３３ｄは、平板部３２を構成している部材と一体的に形成されている。立壁部３３ｄは、平板部３２を構成している部材からはみ出るように延びていた部分を折り曲げることによって形成される。この構成に限られず、立壁部３３ｄは、平板部３２を構成している部材とは別の部材から作製された後に、平板部３２に接合されてもよい。本実施の形態では、板状部３３ｃと立壁部３３ｄとが別部材として構成されるが、これらは同一の部材から一体的に構成されていてもよい。
【００３１】
図３を参照して、垂下部３３ｂ（第１部分）の幅Ｗ１は、板状部３３ｃ（第２部分）の幅Ｗ２と略等しい。一方で、垂下部３３ｂ（第１部分）の厚さＴ１は、板状部３３ｃ（第２部分）の厚さＴ２よりも十分に薄い。本実施の形態においては、上記の第１部分（傾斜部３３ａおよび垂下部３３ｂ）の放熱量に比べて、上記の第２部分（板状部３３ｃ）の放熱量の方が十分に大きい。板状部３３ｃが延びる方向に対して直交する方向の断面の断面積（換言すると、単電池１５の軸方向に対して直交する方向の断面の断面積）は、垂下部３３ｂ（第１部分）に比べて、第２部分（板状部３３ｃ）の放熱量の方が十分に大きい。
【００３２】
（バスバー３０Ｄ，３０Ｅ）
図１を再び参照して、本実施の形態の蓄電装置１００においては、上述のバスバー３０Ａ，３０Ｂ，３０Ｃの他に、バスバー３０Ｄ，３０Ｅも用いられる。バスバー３０Ｄは、電池ブロック１０（図２）に対応する位置に配置される。バスバー３０Ｄは、平板部３４およびリード部３５を有する。平板部３４は、上述の平板部３２と略同一の形状を有する。平板部３４は、電池ブロック１０の負極１７に対向するように配置され、負極１７に電気接続される。リード部３５は、蓄電装置１００の負極端子として機能することができる。
【００３３】
バスバー３０Ｅは、電池ブロック１３対応する位置に配置される。バスバー３０Ｄの場合と同様に、バスバー３０Ｅも、平板部および図示しないリード部を有する。バスバー３０Ｄの平板部は、上述の平板部３１と略同一の形状を有する。バスバー３０Ｄの平板部は、電池ブロック１３の正極１６に対向するように配置され、正極１６に電気接続される。バスバー３０Ｄのリード部は、蓄電装置１００の正極端子として機能することができる。蓄電装置１００と負荷とを電気接続する際には、バスバー３０Ｄ，３０Ｅの各リード部（リード部３５）が、配線部材を介して負荷と接続される。
【００３４】
（作用および効果）
上記の構成によれば、バスバー３０Ａ，３０Ｂ，３０Ｃの各々について、接続部３３（第３バスバー部）のうちのヒューズ３１Ｆに近い部分（第１部分）の放熱量が小さく、ヒューズ３１Ｆから遠い部分（第２部分）の放熱量が大きい（図３参照）。したがって、ヒューズ３１Ｆに近い部分（第１部分）について、電流遮断時の電流値などといったヒューズ機能が制約されることはほとんどなく、ヒューズ３１Ｆは本来の機能を発揮できる。一方、ヒューズ３１Ｆから遠い部分（第２部分）については、放熱量が大きいため、ヒューズ３１Ｆで発生した熱を放射の作用によって効果的に低減することができ、熱が他の単電池に伝導することを抑制できる。バスバー自体で発生した熱（ジュール熱）も、バスバーのうちの放熱量が大きい部分を通して外部に放射されるため、熱が他の単電池に伝導することを抑制できる。
【００３５】
たとえば、バスバー３０Ａ（図１）に着目すると、バスバー３０Ａは、電池ブロック１０（第１電池ブロック）に含まれる複数の単電池１５と電池ブロック１１（第２電池ブロック）に含まれる複数の単電池１５とを電気接続する。電池ブロック１０に含まれる複数の単電池１５に対向するように、バスバー３０Ａの平板部３１が配置される。バスバー３０Ａの平板部３１の側に設けられたヒューズ３１Ｆが発熱したとしても、その熱は、バスバー３０Ａの接続部３３を伝動する際にバスバー３０Ａの接続部３３の放射の作用によって減じられる。したがって、バスバー３０Ａの平板部３１の側に設けられたヒューズ３１Ｆで発生した熱が、バスバー３０Ａを通して電池ブロック１１の負極１７の側に伝導することを抑制できる。電池ブロック１１に含まれる複数の単電池１５がバスバー３０Ａからの熱を受けることを抑制できるため、これら単電池１５の耐用寿命を長くすることができる。
【００３６】
これは、バスバー３０Ｂ，３０Ｃについても同様のことが言える。すなわち、バスバー３０Ｂ，３０Ｃは、電池ブロック１１，１２（第１電池ブロック）に含まれる複数の単電池１５と電池ブロック１２，１３（第２電池ブロック）に含まれる複数の単電池１５とをそれぞれ電気接続する。バスバー３０Ｂ，３０Ｃの平板部３１の側に設けられたヒューズ３１Ｆで発生した熱が、バスバー３０Ｂ，３０Ｃを通して電池ブロック１３，１４の負極１７の側にそれぞれ伝導することを抑制できる。電池ブロック１２，１３に含まれる複数の単電池１５がバスバー３０Ｂ，３０Ｃからの熱を受けることを抑制できるため、これら単電池１５の耐用寿命を長くすることができる。
【００３７】
［比較例］
図６は、比較例における蓄電装置１０１の一部を拡大して示す斜視図である。図６は、実施の形態１における図３に対応している。蓄電装置１０１のバスバー３０Ｚにおいては、垂下部３３ｂの厚さＴ１と、板状部３３ｃの厚さＴ３とが同一であり、傾斜部３３ａおよび垂下部３３ｂ（第１部分）の放熱量と、板状部３３ｃ（第２部分）の放熱量とが同一である。
【００３８】
蓄電装置１０１の場合、接続部３３（第３バスバー部）のうちのヒューズ３１Ｆに近い部分（第１部分）の放熱量と、ヒューズ３１Ｆから遠い部分（第２部分）の放熱量とが同一である。したがって、ヒューズ３１Ｆで発生した熱を放射の作用によって効果的に低減することは難しく、ヒューズ３１Ｆで発生した熱を他の単電池に伝導することを抑制することができない。
【００３９】
［実施の形態２］
図７は、実施の形態２における蓄電装置１０２の一部を拡大して示す斜視図である。図７は、実施の形態１における図３に対応している。上述の実施の形態１では、垂下部３３ｂ（第１部分）の断面積よりも、板状部３３ｃ（平板部３３ｃ１）の断面積の方が広くなるように構成される。
【００４０】
本実施の形態における蓄電装置１０２のバスバー３０Ｇは、板状部３３ｃの表面積が、比較例の場合の板状部３３ｃの表面積に比べて大きくなるように構成されている。板状部３３ｃが延びる方向に対して直交する方向の断面の断面形状を見た場合、板状部３３ｃはＵ字状の断面形状を呈している。具体的には、板状部３３ｃは、平板部３３ｃ１に加えて、折り曲げ部３３ｃ２，３３ｃ３を有している。垂下部３３ｂ（第１部分）の幅Ｗ１よりも、板状部３３ｃ（平板部３３ｃ１）の幅Ｗ２の方が広い。
【００４１】
実施の形態２においては、これらの構成によって、傾斜部３３ａおよび垂下部３３ｂ（第１部分）の放熱量に比べて、板状部３３ｃ（第２部分）の放熱量の方が大きいという特徴が実現されている。当該構成によっても、接続部３３（第３バスバー部）のうちのヒューズ３１Ｆに近い部分（第１部分）の放熱量が小さく、ヒューズ３１Ｆから遠い部分（第２部分）の放熱量が大きくなる。したがって、ヒューズ３１Ｆに近い部分（第１部分）について、電流遮断時の電流値などといったヒューズ機能が制約されることはほとんどなく、ヒューズ３１Ｆは本来の機能を発揮できる。一方、ヒューズ３１Ｆから遠い部分（第２部分）については、放熱量が大きいため、ヒューズ３１Ｆで発生した熱を放射の作用によって効果的に低減することができ、熱が他の単電池に伝導することを抑制できる。
【００４２】
図７中の白色矢印に示すように、スリット２３から排出された熱交換媒体を板状部３３ｃに接触させることで、板状部３３ｃを強制対流の作用によって冷却してもよい。たとえば、板状部３３ｃの一部をスリット２３に対向するように配置する。放熱量が増大することで、熱が他の単電池に伝導することをよりいっそう抑制可能となる。本実施の形態においても、実施の形態１の場合と同様に板状部３３ｃの断面積を大きくしてもよい。この場合、板状部３３ｃが延びる方向に対して直交する方向の断面の断面積（換言すると、単電池１５の軸方向に対して直交する方向の断面の断面積）は、垂下部３３ｂ（第１部分）に比べて、第２部分（板状部３３ｃ）の放熱量の方が大きくなる。
【００４３】
［実施の形態３］
図８は、実施の形態３における蓄電装置１０３の一部を拡大して示す斜視図である。図８は、実施の形態１における図３に対応している。本実施の形態におけるバスバー３０Ｊにおいても、板状部３３ｃが折り曲げられている。本実施の形態の板状部３３ｃは、平板部３１の側から平板部３２の側に向かって、三角波を描きながら延在するような波形状（凸凹形状）を有しており、板状部３３ｃの表面積が、比較例の場合の板状部３３ｃの表面積に比べて大きくなるように構成されている。
【００４４】
実施の形態３においては、この構成によって、傾斜部３３ａおよび垂下部３３ｂ（第１部分）の放熱量に比べて、板状部３３ｃ（第２部分）の放熱量の方が大きいという特徴が実現されている。当該構成によっても、ヒューズに近い部分（第１部分）について、電流遮断時の電流値などといったヒューズ機能が制約されることはほとんどなく、ヒューズは本来の機能を発揮できる。一方、ヒューズから遠い部分（第２部分）については、放熱量が大きいため、ヒューズで発生した熱を放射の作用によって効果的に低減することができ、熱が他の単電池に伝導することを抑制できる。
【００４５】
図８中の白色矢印に示すように、スリット２３から排出された熱交換媒体を板状部３３ｃに接触させることで、板状部３３ｃを強制対流の作用によって冷却してもよい。たとえば、板状部３３ｃの一部をスリット２３に対向するように配置する。放熱量が増大することで、熱が他の単電池に伝導することをよりいっそう抑制可能となる。本実施の形態においても、実施の形態１の場合と同様に板状部３３ｃの断面積を大きくしてもよい。この場合、板状部３３ｃが延びる方向に対して直交する方向の断面の断面積（換言すると、単電池１５の軸方向に対して直交する方向の断面の断面積）は、垂下部３３ｂ（第１部分）に比べて、第２部分（板状部３３ｃ）の放熱量の方が大きくなる。
【００４６】
［他の実施の形態］
傾斜部３３ａおよび垂下部３３ｂ（第１部分）の放熱量に比べて、板状部３３ｃ（第２部分）の放熱量の方が大きくなるように構成する手法は、上述の実施の形態２，３で述べた内容に限られない。たとえば、板状部３３ｃの体積、表面積および断面積などを増加させるために、２本もしくはそれ以上の本数の板状部３３ｃを用いてもよい。板状部３３ｃを構成する部材の材質を最適化することも有効である。
【００４７】
上述の各実施の形態では、ヒューズ３１Ｆが単電池１５の正極１６の側に設けられる構成を採用しているが、ヒューズ３１Ｆは、単電池１５の負極１７の側に設けられていてもよい。すなわち、バスバーのうち、第１電池ブロックに含まれる複数の単電池１５における正極および負極のうちの一方にヒューズを介して接続される部位が、第１バスバー部に相当する。バスバーのうち、第２電気ブロックに含まれる複数の単電池１５における正極および負極のうちの他方に接続される部位が、第２バスバー部に相当する。正極および負極の関係が上述の各実施の形態の場合と反対であっても、上述の各実施の形態と同様の作用および効果を得ることが可能である。
【００４８】
以上、実施の形態について説明したが、上記の開示内容はすべての点で例示であって制限的なものではない。本発明の技術的範囲は特許請求の範囲によって示され、特許請求の範囲と均等の意味および範囲内でのすべての変更が含まれることが意図される。
【符号の説明】
【００４９】
１０，１１，１２，１３，１４  電池ブロック、１５  単電池、１６  正極、１７  負極、２０  ケース、２１  上ケース、２２  下ケース、２３，２６  スリット、２４  上面、２５  下面、３０Ａ，３０Ｂ，３０Ｃ，３０Ｄ，３０Ｅ，３０Ｇ，３０Ｊ，３０Ｚ  バスバー、３１  平板部（第１バスバー部）、３１Ｆ  ヒューズ、３１Ｈ  開口、３１Ｔ  正極タブ、３１Ｕ  接続部、３２  平板部（第２バスバー部）、３２Ｔ  負極タブ、３３  接続部（第３バスバー部）、３３ａ  傾斜部、３３ｂ  垂下部、３３ｃ１，３４  平板部、３３ｃ２，３３ｃ３  折り曲げ部、３３ｃ  板状部、３３ｄ  立壁部、３５  リード部、１００，１０１，１０２，１０３  蓄電装置、Ｔ１，Ｔ２，Ｔ３  厚さ、Ｗ１，Ｗ２  幅。
【図１】
0006295901.tif 000002
【図２】
0006295901.tif 000003
【図３】
0006295901.tif 000004
【図４】
0006295901.tif 000005
【図５】
0006295901.tif 000006
【図６】
0006295901.tif 000007
【図７】
0006295901.tif 000008
【図８】
0006295901.tif 000009